【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
複数種類の光ディスクが適用可能で、該光ディスクに対して、共通の対物レンズを用いて記録再生を行う光ピックアップシステムにおいて、射出光束が発散光となるアナモルフィックレンズを有し、該アナモルフィックレンズにより半導体レーザから出射した光束をカップリングすることを特徴とした光ピックアップシステム。
【請求項２】
請求項１に記載の光ピックアップシステムにおいて、前記発散光の波面形状が球面波であることを特徴とした光ピックアップシステム。
【請求項３】
請求項１に記載の光ピックアップシステムにおいて、前記射出光束が発散光となるアナモルフィックレンズを第１のアナモルフィックレンズとし、該第１のアナモルフィックレンズが作用する光路とは異なる光路中に、射出光束が平行光となる第２のアナモルフィックレンズが備えられ、該第２のアナモルフィックレンズにより第２の半導体レーザから出射した光束をカップリングすることを特徴とした光ピックアップシステム。
【請求項４】
請求項３に記載の光ピックアップシステムにおける前記第１のアナモルフィックレンズを、前記第２のアナモルフィックレンズと同形状のアナモルフィックレンズ及び凹レンズよりなる光学系に置き換えて構成したことを特徴とした光ピックアップシステム。
【請求項５】
複数種類の光ディスクが適用可能で、該光ディスクに対して共通の対物レンズを用いて記録再生を行う光ピックアップシステムにおいて、射出光束が収束光となるアナモルフィックレンズを有し、該アナモルフィックレンズにより半導体レーザからの光束をカップリングすることを特徴とした光ピックアップシステム。
【請求項６】
請求項５に記載の光ピックアップシステムにおいて、前記収束光の波面形状が球面波であることを特徴とした光ピックアップシステム。
【請求項７】
請求項５に記載の光ピックアップシステムにおいて、前記射出光束が収束光となるアナモルフィックレンズを第１のアナモルフィックレンズとし、該第１のアナモルフィックレンズが作用する光路とは異なる光路中に、射出光束が平行光となる第２のアナモルフィックレンズが備えられ、該第２のアナモルフィックレンズにより第２の半導体レーザから出射した光束をカップリングすることを特徴とした光ピックアップシステム。
【手続補正２】
【補正対象書類名】明細書
【補正対象項目名】００１５
【補正方法】変更
【補正の内容】
【００１５】
【課題を解決するための手段】
請求項１の発明は、複数種類の光ディスクが適用可能で、該光ディスクに対して、共通の対物レンズを用いて記録再生を行う光ピックアップシステムにおいて、射出光束が発散光となるアナモルフィックレンズを有し、該アナモルフィックレンズにより半導体レーザから出射した光束をカップリングすることを特徴としたものである。


【手続補正３】
【補正対象書類名】明細書
【補正対象項目名】００１９
【補正方法】変更
【補正の内容】
【００１９】
請求項５の発明は、複数種類の光ディスクが適用可能で、該光ディスクに対して共通の対物レンズを用いて記録再生を行う光ピックアップシステムにおいて、射出光束が収束光となるアナモルフィックレンズを有し、該アナモルフィックレンズにより半導体レーザからの光束をカップリングすることを特徴としたものである。


【手続補正４】
【補正対象書類名】明細書
【補正対象項目名】００２０
【補正方法】変更
【補正の内容】
【００２０】
請求項６の発明は、請求項５の発明において、前記収束光の波面形状が球面波であることを特徴としたものである。
請求項７の発明は、請求項５の発明において、前記射出光束が収束光となるアナモルフィックレンズを第１のアナモルフィックレンズとし、該第１のアナモルフィックレンズが作用する光路とは異なる光路中に、射出光束が平行光となる第２のアナモルフィックレンズが備えられ、該第２のアナモルフィックレンズにより第２の半導体レーザから出射した光束をカップリングすることを特徴としたものである。
【手続補正５】
【補正対象書類名】明細書
【補正対象項目名】００２９
【補正方法】変更
【補正の内容】
【００２９】
［請求項５ないし７の発明］
図９は、図７に示す光ピックアップのＣＤ側の発散の有限系アナモルフィックレンズ３′を、収束の有限系アナモルフィックレンズ３″に置き変えた構成の実施例を示す図である。ＤＶＤよりも記録密度の高いＳ−ＤＶＤでは、ＮＡがＤＶＤよりも大きくなるために基板厚も０.６ｍｍから０.４ｍｍ程度になる。この時にもＤＶＤ用の対物レンズを使用するには、Ｓ−ＤＶＤの対物レンズへの入射光束を収束光にすれば良い。ＤＶＤの光路は図７に示す実施例と同じである。


【手続補正６】
【補正対象書類名】明細書
【補正対象項目名】００３３
【補正方法】変更
【補正の内容】
【００３３】
【発明の効果】
以上の説明から明らかなように、請求項１の発明によれば、複数の光ディスクを、共通の対物レンズを用いて記録再生を行う光ピックアップにおいて、射出光束が発散光となるようなアナモルフィックレンズにより半導体レーザからの光束をカップリングしているので、
（１）発散光路中において、半導体レーザのビーム形状を楕円から円形に整形することが可能であり、光利用効率が向上し、
（２）対物レンズの設計値とは異なる基板厚の光ディスクを記録再生する場合にも、対物レンズへの入射光束を発散光として球面収差を補正しているので、大きな開口数（ＮＡ）が可能であり、回折限界の盤面スポットを形成することが可能となり、
（３）有限系アナモルフィックレンズにより、従来のコリメートレンズ＋整形プリズム＋発散レンズの構成が簡素化されて、装置が小型化できる。


【手続補正７】
【補正対象書類名】明細書
【補正対象項目名】００３７
【補正方法】変更
【補正の内容】
【００３７】
請求項５の発明によれば、複数の光ディスクを、共通の対物レンズを用いて記録再生を行う光ピックアップにおいて、射出光束が収束光となるようなアナモルフィックレンズにより半導体レーザからの光束をカップリングしているので、
（１）収束光路中において、半導体レーザのビーム形状を楕円から円形に整形することが可能であり、光利用効率が向上し、
（２）対物レンズの設計値とは異なる基板厚の光ディスクを記録再生する場合にも、対物レンズへの入射光束を収束光として球面収差を補正しているので、大きな開口数（ＮＡ）が可能であり、回折限界の盤面スポットを形成することが可能となり、
（３）有限系アナモルフィックレンズにより、従来のコリメートレンズ＋整形プリズム＋収束レンズの構成が簡素化されて、装置を小型化することができる。


【手続補正８】
【補正対象書類名】明細書
【補正対象項目名】００３８
【補正方法】変更
【補正の内容】
【００３８】
請求項６の発明によれば、収束光の波面形状を球面波としているので、対物レンズのトラッキング動作による光軸垂直移動に対しても、波面収差の増加を抑えることが可能となる。
請求項７の発明によれば、射出光束が収束光となるアナモルフィックレンズとは異なる光路中に、射出光束が平行光となるアナモルフィックレンズを有し、そのアナモルフィックレンズによりもう一方の半導体レーザからの光束をカップリングしているので、光路が曲がってしまうような従来のビーム整形素子を用いたレイアウトと比較すると、両方の光路の光軸を平行にそろえることができるので、レイアウトの小型化やフレキ結線の簡素化が可能となる。